(57)【要約】【課題】高精度かつ簡便にグリスを劣化診断する方法、装置を提供する。【解決手段】第１平坦板（２）と第２平坦板（３）との間に参照用グリスを介在させた状態で第２平坦板（３）を回転させて計測した第２平坦板（３）の第１回転数と、第１平坦板（２）と第２平坦板（３）との間に診断用グリスを介在させた状態で第２平坦板（３）を回転させて計測した第２回転数とを比較することにより診断用グリスの劣化状態を診断する。【選択図】図１
2020056601.tif 000002
【特許請求の範囲】
【請求項１】
（ａ）第１平坦板と第２平坦板との間に、油分率が既知である参照用グリスを介在させるステップと、
（ｂ）上記第１平坦板に荷重を印加するステップと、
（ｃ）上記第２平坦板を回転させて、当該第２平坦板の回転が開始してから停止するまでの上記第２平坦板の回転数である第１回転数を計測するステップと、
（ｄ）上記第１平坦板と上記第２平坦板との間に、上記参照用グリスと油分率が略同一である、劣化診断に供する診断用グリスを介在させるステップと、
（ｅ）上記第１平坦板に荷重を印加するステップと、
（ｆ）上記第２平坦板を回転させて、当該第２平坦板の回転が開始してから停止するまでの上記第２平坦板の回転数である第２回転数を計測するステップと、
（ｇ）上記第１回転数と上記第２回転数とを比較することにより上記診断用グリスの劣化状態を診断するステップと、をその順序で含むグリス劣化診断方法。
【請求項２】
（ａ）第１平坦板と第２平坦板との間に、油分率が既知である参照用グリスを介在させるステップと、
（ｂ）上記第１平坦板に荷重を印加するステップと、
（ｃ）上記第２平坦板を回転させて、当該第２平坦板の回転が開始してから停止するまでの上記第２平坦板の回転数である第１回転数を計測するステップと、
（ｄ）油分率が異なる複数の参照用グリスを準備して、当該複数の参照用グリスごとに上記（ａ）〜（ｃ）を繰り返し、上記複数の参照用グリスそれぞれに対応する複数の上記第１回転数を計測するステップと、
（ｅ）上記第１平坦板と上記第２平坦板との間に、油分率が既知である、劣化診断に供する診断用グリスを介在させるステップと、
（ｆ）上記第１平坦板に荷重を印加するステップと、
（ｇ）上記第２平坦板を回転させて、当該第２平坦板の回転が開始してから停止するまでの上記第２平坦板の回転数である第２回転数を計測するステップと、
（ｈ）複数の上記第１回転数と上記第２回転数とを比較することにより上記診断用グリスの劣化状態を診断するステップと、をその順序で含むグリス劣化診断方法。
【請求項３】
（ａ）油分率が既知である参照用グリスの摩擦係数である第１摩擦係数を測定するステップ、
（ｂ）上記参照用グリスと油分率が略同一である、劣化診断に供する診断用グリスの摩擦係数である第２摩擦係数を測定するステップと、
（ｃ）上記第１摩擦係数と上記第２摩擦係数とを比較することにより上記診断用グリスの劣化状態を診断するステップと、をその順序で含むグリス劣化診断方法。
【請求項４】
上記参照用グリスは、以下（１）乃至（４）の何れかの状態にあり、
上記診断用グリスの劣化状態を診断するステップでは、上記診断用グリスが以下（１）乃至（４）の何れの状態にあるかを診断する請求項１〜３の何れか１項に記載のグリス劣化診断方法。
（１）油分率低下のみ
（２）油分率低下、潤滑剤凝集、増ちょう剤凝集
（３）油分率低下、潤滑剤凝集、増ちょう剤凝集、油分酸化
（４）正常
【請求項５】
第１平坦板と、
上記第１平坦板との間にグリスを挟む第２平坦板と、
上記第１平坦板に荷重を印加する荷重印加部と、
上記荷重印加部が上記第１平坦板に荷重を印加したときに上記第２平坦板を回転させる回転部と、
上記回転部が上記第２平坦板を回転させたときに、当該第２平坦板の回転が開始してから停止するまでの上記第２平坦板の回転数を計測する計測部と、を備えるグリス劣化診断装置。
【請求項６】
油分率が既知である少なくとも１つの参照用グリスを用いたときに上記計測部が計測した少なくとも１つの第１回転数と、油分率が既知である、劣化診断に供する診断用グリスを用いたときに上記計測部が計測した第２回転数とを比較することにより上記診断用グリスの劣化状態を診断する劣化診断部を備える請求項５に記載のグリス劣化診断装置。
【発明の詳細な説明】
【技術分野】
【０００１】
本発明は、グリス劣化診断方法、及びグリス劣化診断装置に関する。
【背景技術】
【０００２】
特許文献１は以下の構成を開示する。具体的に、グリスを有機溶剤とともに測定容器に入れる。測定容器内のグリス及び有機溶剤を撹拌し、グリス中の増ちょう剤を有機溶剤に分散させる。測定容器を静置又は遠心分離して、分散液中の増ちょう剤を沈降させる。測定容器内の増ちょう剤の沈降高さを測定する。測定した増ちょう剤の沈降高さから増ちょう剤の破壊率を計算する。計算した破壊率からグリスの劣化状態を診断する。
【０００３】
特許文献２は以下の構成を開示する。具体的に、各種機器の可動部、摺動部及び摺動通電部の何れかに使用されている相関関係の強い潤滑剤及び粘稠性物質を微量採取する。採取した潤滑剤及び粘稠性物質の静的特性及び動的特性のデータを測定する。測定したデータと過去に蓄積された潤滑剤及び粘稠性物質の正常群の中心及び劣化群の中心までのマハラノビス汎距離を算出する。算出したマハラノビス汎距離から潤滑剤及び粘稠性物質の劣化状況を評価する。
【先行技術文献】
【特許文献】
【０００４】
【特許文献１】特開２０１３−２３８４２７号公報（２０１３年１１月２８日公開）
【特許文献２】特開２０１０−１３３７８８号公報（２０１０年  ６月１７日公開）
【発明の概要】
【発明が解決しようとする課題】
【０００５】
しかしながら、特許文献１、２の技術には以下のような問題がある。
【０００６】
特許文献１の技術に関して、グリスの劣化状態は、増ちょう剤の破壊率だけではなく、グリス中の油分率、及び油分の酸化度も大きく関与しているため、増ちょう剤の破壊率だけでグリスの劣化状態を診断することは困難である。
【０００７】
特許文献２の技術では、グリスの粘性抵抗に加えて色調、広がり径、及び酸化度を併せて総合評価しているが、４つのパラメータすべてを測定する必要があり煩雑である。
【０００８】
本発明は、上記の問題点に鑑みてなされたものであり、その目的は、高精度かつ簡便にグリスを劣化診断する方法、及び装置を実現することにある。
【課題を解決するための手段】
【０００９】
上記の課題を解決するために、本発明の一態様に係るグリス劣化診断方法は、（ａ）第１平坦板と第２平坦板との間に、油分率が既知である参照用グリスを介在させるステップと、（ｂ）上記第１平坦板に荷重を印加するステップと、（ｃ）上記第２平坦板を回転させて、当該第２平坦板の回転が開始してから停止するまでの上記第２平坦板の回転数である第１回転数を計測するステップと、（ｄ）上記第１平坦板と上記第２平坦板との間に、上記参照用グリスと油分率が略同一である、劣化診断に供する診断用グリスを介在させるステップと、（ｅ）上記第１平坦板に荷重を印加するステップと、（ｆ）上記第２平坦板を回転させて、当該第２平坦板の回転が開始してから停止するまでの上記第２平坦板の回転数である第２回転数を計測するステップと、（ｇ）上記第１回転数と上記第２回転数とを比較することにより上記診断用グリスの劣化状態を診断するステップと、をその順序で含む構成である。
【００１０】
上記第１平坦板と上記第２平坦板との間にグリスを介在させ、上記第１平坦板に荷重をかけ、上記第２平坦板を回転させる。このとき、発明者らは、グリスの状態が良好である場合には上記第２平坦板の回転数が多く、グリスが劣化している場合には上記第２平坦板の回転数が少なくなることを見出した。
【００１１】
そこで、上記第１回転数と上記第２回転数とを比較することにより、（ｉ）上記第２回転数が上記第１回転数よりも多い場合には、上記診断用グリスは上記参照用グリスよりも良好な状態にあり、（ｉｉ）上記第２回転数が上記第１回転数と同程度である場合には、上記診断用グリスは上記参照用グリスと同程度の状態にあり、（ｉｉｉ）上記第２回転数が上記第１回転数よりも少ない場合には、上記診断用グリスは上記参照用グリスよりも劣化が進んでいる、と診断用グリスの劣化状態を診断することができる。
【００１２】
加えて、上記参照用グリスと上記診断用グリスの油分率を略同一として比較の基準を揃えているため、上記参照用グリスの性状を予め把握しておくことにより、上記診断用グリスの劣化状態をより高い精度で診断することを可能とする。また、上記第１回転数と上記第２回転数とを比較するだけでよいため、より簡便に診断用グリスの劣化状態を診断することができる。
【００１３】
上記の構成によれば、高精度かつ簡便にグリスを劣化診断する方法を実現することができる。
【００１４】
上記の課題を解決するために、本発明の一態様に係るグリス劣化診断方法は、（ａ）第１平坦板と第２平坦板との間に、油分率が既知である参照用グリスを介在させるステップと、（ｂ）上記第１平坦板に荷重を印加するステップと、（ｃ）上記第２平坦板を回転させて、当該第２平坦板の回転が開始してから停止するまでの上記第２平坦板の回転数である第１回転数を計測するステップと、（ｄ）油分率が異なる複数の参照用グリスを準備して、当該複数の参照用グリスごとに上記（ａ）〜（ｃ）を繰り返し、上記複数の参照用グリスそれぞれに対応する複数の上記第１回転数を計測するステップと、（ｅ）上記第１平坦板と上記第２平坦板との間に、油分率が既知である、劣化診断に供する診断用グリスを介在させるステップと、（ｆ）上記第１平坦板に荷重を印加するステップと、（ｇ）上記第２平坦板を回転させて、当該第２平坦板の回転が開始してから停止するまでの上記第２平坦板の回転数である第２回転数を計測するステップと、（ｈ）複数の上記第１回転数と上記第２回転数とを比較することにより上記診断用グリスの劣化状態を診断するステップと、をその順序で含む構成である。
【００１５】
上記第１平坦板と上記第２平坦板との間にグリスを介在させ、上記第１平坦板に荷重をかけ、上記第２平坦板を回転させる。このとき、発明者らは、グリスの状態が良好である場合には上記第２平坦板の回転数が多く、グリスが劣化している場合には上記第２平坦板の回転数が少なくなることを見出した。
【００１６】
そこで、上記第１回転数と上記第２回転数とを比較することにより、（ｉ）上記第２回転数が上記第１回転数よりも多い場合には、上記診断用グリスは上記参照用グリスよりも良好な状態にあり、（ｉｉ）上記第２回転数が上記第１回転数と同程度である場合には、上記診断用グリスは上記参照用グリスと同程度の状態にあり、（ｉｉｉ）上記第２回転数が上記第１回転数よりも少ない場合には、上記診断用グリスは上記参照用グリスよりも劣化が進んでいる、と診断用グリスの劣化状態を診断することができる。
【００１７】
加えて、油分率が異なる複数の参照用グリスを準備して、それぞれに第１回転数を計測する。従って、診断用グリスの油分率が既知である場合には、診断用グリスの油分率と略同一の油分率である参照用グリスの第１回転数と上記第２回転数とを比較することにより、診断用グリスの劣化状態をより高い精度で診断することができる。また、上記第１回転数と上記第２回転数とを比較するだけでよいため、より簡便に診断用グリスの劣化状態を診断することができる。さらに、油分率が異なる複数の参照用グリスを用いることにより、上記診断用グリスの劣化進展プロセスと劣化速度をそれぞれ推定することもできる。
【００１８】
上記の構成によれば、高精度かつ簡便にグリスを劣化診断する方法を実現することができる。
【００１９】
上記の課題を解決するために、本発明の一態様に係るグリス劣化診断方法は、（ａ）油分率が既知である参照用グリスの摩擦係数である第１摩擦係数を測定するステップ、（ｂ）上記参照用グリスと油分率が略同一である、劣化診断に供する診断用グリスの摩擦係数である第２摩擦係数を測定するステップと、（ｃ）上記第１摩擦係数と上記第２摩擦係数とを比較することにより上記診断用グリスの劣化状態を診断するステップと、をその順序で含む構成であってよい。
【００２０】
発明者らは、グリスの状態が良好である場合にはグリスの摩擦係数が小さく、グリスが劣化している場合にはグリスの摩擦係数が大きくなることを見出した。
【００２１】
そこで、上記第１摩擦係数と上記第２摩擦係数とを比較することにより、（ｉ）上記第２摩擦係数が上記第１摩擦係数よりも小さい場合には、上記診断用グリスは上記参照用グリスよりも良好な状態にあり、（ｉｉ）上記第２摩擦係数が上記第１摩擦係数と同程度である場合には、上記診断用グリスは上記参照用グリスと同程度の状態にあり、（ｉｉｉ）上記第２摩擦係数が上記第１摩擦係数よりも大きい場合には、上記診断用グリスは上記参照用グリスよりも劣化している、と診断用グリスの劣化状態を診断することができる。
【００２２】
さらに、上記参照用グリスの油分率を様々に変化させた状態で上記第１摩耗係数を測定しておくことにより、上記診断用グリスの劣化進展プロセスと劣化速度をそれぞれ推定することもできる。
【００２３】
このように、上記の構成によっても、高精度かつ簡便にグリスを劣化診断する方法を実現することができる。
【００２４】
上記の課題を解決するために、本発明の一態様に係るグリス劣化診断方法では、上記参照用グリスは、以下（１）乃至（４）の何れかの状態にあり、上記診断用グリスの劣化状態を診断するステップでは、上記診断用グリスが以下（１）乃至（４）の何れの状態にあるかを診断する構成であってもよい。（１）油分率低下のみ、（２）油分率低下、潤滑剤凝集、増ちょう剤凝集、（３）油分率低下、潤滑剤凝集、増ちょう剤凝集、油分酸化、（４）正常。
【００２５】
発明者らは、グリスが、油分率低下、潤滑剤凝集、増ちょう剤凝集、及び／又は油分酸化、の状態にある場合には、上記第２平坦板の回転数に与える影響が大きいことを見出した。
【００２６】
そこで、上記参照用グリスが上記（１）乃至（４）の状態にあることと上記第摩擦係数とを対応付けておくことにより、上記第２摩擦係数に基づいて、上記診断用グリスが上記（１）乃至（４）の何れの状態にあるかを、さらに高精度かつ簡便にグリスを診断することができる。
【００２７】
上記の課題を解決するために、本発明の一態様に係るグリス劣化診断装置は、第１平坦板と、上記第１平坦板との間にグリスを挟む第２平坦板と、上記第１平坦板に荷重を印加する荷重印加部と、上記荷重印加部が上記第１平坦板に荷重を印加したときに上記第２平坦板を回転させる回転部と、上記回転部が上記第２平坦板を回転させたときに、当該第２平坦板の回転が開始してから停止するまでの上記第２平坦板の回転数を計測する計測部と、を備える構成であってよい。
【００２８】
上記各構成を備えた上記グリス劣化診断装置を用いることにより、上記グリス劣化診断方法と同様の効果を得ることができる。
【００２９】
上記の課題を解決するために、本発明の一態様に係るグリス劣化診断装置は、油分率が既知である少なくとも１つの参照用グリスを用いたときに上記計測部が計測した少なくとも１つの第１回転数と、油分率が既知である、劣化診断に供する診断用グリスを用いたときに上記計測部が計測した第２回転数とを比較することにより上記診断用グリスの劣化状態を診断する劣化診断部を備える構成であってよい。
【００３０】
上記の構成によれば、上記劣化診断部は、上記少なくとも１つの第１回転数と上記第２回転数とを比較することにより上記診断用グリスの劣化状態を診断する。「少なくとも１つの参照用グリス」は、上記診断用グリスの比較対象であるため、「少なくとも１つの参照用グリス」の数が多いほど、上記診断用グリスの劣化状態をより高精度かつ簡便に診断することができる。
【発明の効果】
【００３１】
本発明の一態様によれば、高精度かつ簡便にグリスを劣化診断する方法、及びを提供することできる。
【図面の簡単な説明】
【００３２】
【図１】本実施形態に係るグリス劣化診断装置の概略図である。
【図２】第２平坦板の回転数と回転速度との関係を示すグラフである。
【図３】グリスの油分率と摩擦係数との関係を示すグラフである。
【図４】グリスの油分率と第２平坦板の回転数との関係を示すグラフである。
【発明を実施するための形態】
【００３３】
以下、本発明の一側面に係る実施の形態（以下、「本実施形態」とも表記する）を、図面に基づいて説明する。
[グリス劣化診断装置１の概要]
図１は、本実施形態に係るグリス劣化診断装置１の概略図である。グリス劣化診断装置１は、グリス１０の劣化状態の診断、グリス１０の劣化進展プロセスの推定、及びグリス１０の劣化速度の推定などに使用される。グリス劣化診断装置１は、第１平坦板２と、第２平坦板３と、荷重印加部４と、回転部５と、計測部６と、劣化診断部７とを備える。
【００３４】
第１平坦板２及び第２平坦板３はそれぞれ、例えば円形の薄板である。第１平坦板２と第２平坦板３とは互いに対向して配される。第１平坦板２及び第２平坦板３の対向面は、それぞれ平坦であり、かつ、清浄に保たれている。第１平坦板２と第２平坦板３とでグリス１０を挟む。第１平坦板２と第２平坦板３とに挟むグリスは一定量とすることが好ましい。第１平坦板２及び第２平坦板３はそれぞれ、第１平坦板２及び第２平坦板３の機能を果たすのであれば、形状、厚み、材質など特に限定されない。
【００３５】
荷重印加部４は、第１平坦板２から第２平坦板３の方向に向かって第１平坦板２に対して所定の荷重を印加する。荷重印加部４は、例えばシリンダであるが、シリンダ以外であってもよい。
【００３６】
回転部５は、荷重印加部４が第１平坦板２に荷重を印加した後で第２平坦板３を一方向に回転させる。回転部５は、荷重印加部４が第１平坦板２に荷重を印加すると同時に第２平坦板３を一方向に回転させる。回転部５は、荷重が印加された状態のグリスに回転せん断力を与える。劣化したグリスでは、せん断力が増加してグリスに固着を生じさせる。グリスに固着が生じた場合、回転部５の回転は停止する。回転部５は、例えばモータであるが、モータ以外であってもよい。
【００３７】
計測部６は、回転部５が第２平坦板３を回転させたときに、第２平坦板３の回転が開始してから停止するまでの第２平坦板３の回転数を計測する。計測部６は、例えば、パルスを用いて第２平坦板３の回転数を計測してもよいし、ストロボスコープにより第２平坦板３の回転数を計測してもよい。計測部６による回転数の計測方法は、特定の方法に限定されない。
【００３８】
劣化診断部７については後述する。
[グリスの劣化と第２平坦板３の回転との関係について]
グリスは、すべり軸受、転がり軸受、又は摺動面等に使用される。グリスは、経年変化又は摺動部の開閉回数の増加に伴い、油分の減少、潤滑剤凝集、増ちょう剤凝集、及び／又は油分酸化などにより劣化する。劣化したグリスは、潤滑性が低下し、最終的に摺動部の動作不良を引き起こす。劣化したグリスは、第２平坦板３の回転に影響を与えうる。以下、より具体的に説明する。
【００３９】
劣化の生じていないグリスが第１平坦板２と第２平坦板３との間に介在している場合、回転部５は一定の回転速度で回転を継続する。
【００４０】
一方、油分率の低下、潤滑剤凝集、増ちょう剤凝集、又は油分酸化等の生じているグリスが第１平坦板２と第２平坦板３との間に介在している場合には、荷重印加部４によって荷重が印加されたグリスに第２平坦板３の回転に伴う回転せん断力が与えられ、グリスに固着が生じる。グリスに固着が生じると、時間の経過とともに第２平坦板３の回転速度が低下し、第２平坦板３の回転は最終的に停止する。
【００４１】
発明者らは、油分率低下、潤滑剤凝集、増ちょう剤凝集、及び／又は油分酸化等が進むほど、第２平坦板３の回転数が減少すること、それゆえ、その回転数に基づいてグリスの劣化状態を把握しうることを鋭意検討の末に見出した。
【００４２】
[実施例]
[第２平坦板３の回転数と回転速度との関係（図２）]
図２は、第２平坦板の回転数と回転速度との関係を示すグラフである。横軸は第２平坦板の回転数を示す。縦軸は第２平坦板３の回転速度を示す。図２に記載された４つのグリスは二硫化モリブデン、鉱物油系であり、以下のとおりである。
（ｉ）    油分率低下のみ（油分率：約６０％）
（ｉｉ）  油分率低下（油分率：約６０％）、潤滑剤凝集、増ちょう剤凝集
（ｉｉｉ）油分率低下（油分率：約６０％）、潤滑剤凝集、増ちょう剤凝集、油分酸化
（ｉｖ）    正常（劣化が認められない）
また、図２、及び図３に示す試験では、第１平坦板２及び第２平坦板３は、クロムモリブデン鋼製の円盤ディスクである。第１平坦板２と第２平坦板３との間に約４００μｍの厚さでグリスを塗布し、第１平坦板２に対して３．３ｋｇの荷重を印加した。第２平坦板３を５００ｒｐｍの一定の回転速度で一方向に回転させた。
【００４３】
図２に示すように、（ｉｖ）のグリスでは、第２平坦板は一定速度（約４５０ｒｐｍ）で回転を継続した。
【００４４】
一方、（ｉ）のグリスでは、約１１、０００回の回転数まで一定の回転速度（約４００ｒｐｍ）で回転した後、急激に回転速度が減少し、最終的にグリスの固着によって第２平坦板３の回転が停止した。
【００４５】
（ｉｉ）のグリスでは、約８、０００回の回転数まで一定の回転速度（約４００ｒｐｍ）で回転した後、急激に回転速度が減少し、最終的にグリスの固着によって第２平坦板３の回転が停止した。
【００４６】
（ｉｉｉ）のグリスでは、僅か５００回程度の回転数でグリス固着が生じ、最終的にグリスの固着によって第２平坦板３の回転が停止した。
【００４７】
このように、グリスが上記（ｉ）〜（ｉｖ）の何れの状態であるかによって、第２平坦板３の回転数と回転速度との関係が大きく変化することが図２から分かる。
【００４８】
[グリスの油分率と摩擦係数との関係（図３）]
油分率低下、潤滑剤凝集、増ちょう剤凝集、及び／又は油分酸化によるグリスの潤滑性低下を検討するために、摩擦摩耗試験（ピンオンディスク型）を用いて摩擦係数を評価した。
【００４９】
図３は、グリスの油分率と摩擦係数との関係を示すグラフである。横軸はグリスの油分率を示す。縦軸は摩擦係数を示す。図３に記載された３つのグリスは以下のとおりである。
（ｉ）    油分率低下のみ（油分率：約６０％）
（ｉｉ）  油分率低下（油分率：約６０％）、潤滑剤凝集、増ちょう剤凝集
（ｉｉｉ）油分率低下（油分率：約６０％）、潤滑剤凝集、増ちょう剤凝集、油分酸化
図示するように、油分率が６０％以下の領域では、（ｉ）〜（ｉｉｉ）のすべてにおいて、油分率の低下とともに摩擦係数が顕著に増加する傾向が見られた。
【００５０】
例えば、（ｉ）と（ｉｉ）とを比較した場合、（ｉｉ）は（ｉ）よりも摩擦係数の立ち上がりが顕著であった。また、（ｉｉｉ）は、（ｉｉ）よりも摩擦係数の立ち上がりがさらに顕著であった。
【００５１】
このように、（ｉ）から（ｉｉｉ）へとグリスの劣化要因が加わることにより、グリスの潤滑性の低下が加速することが分かる。このことは、油分率が６０％よりも大きい領域においても同様である。
[グリスの油分率と第２平坦板の回転数との関係（図４）]
図２、図３から以下の結果が示された。つまり、上記（ｉ）から（ｉｉｉ）へとグリスの劣化要因が加わることにより、第２平坦板３の回転数と回転速度が低下する、加えて、グリスの潤滑性が低下する。そして、発明者らは、これらの結果とその技術的背景に基づいて、上記（ｉ）〜（ｉｉｉ）それぞれについて、グリスの油分率と第２平坦板の回転数との関係を導出した。
【００５２】
図４は、グリスの油分率と第２平坦板の回転数との関係を示すグラフである。横軸はグリスの油分率を示す。縦軸は第２平坦板の回転数を示す。
【００５３】
図４に示すとおり、油分率が同じ場合、上記（ｉ）から（ｉｉｉ）へとグリスの劣化要因が加わるほど、第２平坦板の回転数は減少する。また、油分率が大きい領域においては、上記（ｉ）から（ｉｉｉ）へとグリスの劣化要因が加わるほど、第２平坦板の回転数の差が大きくなる。
【００５４】
本実施形態に係るグリス劣化診断装置１、及びグリス劣化診断方法では、図４のデータ（以下、「バックグラウンドデータ」と称する場合もある。）を用いてグリス１０の劣化状態を高精度かつ簡便に診断する。以下、具体的に説明する。
【００５５】
最初に、油分率が既知である、劣化診断に供するグリスを用いて第２平坦板３の回転数を計測する。次に、計測された第２平坦板３の回転数と上記バックグラウンドデータとを比較する。例えば、劣化診断に供したグリスの油分率が約６０％であり、かつ、第２平坦板３の回転数が約１１、０００回である場合には、劣化診断に供したグリスは劣化状態が上記（ｉ）「油分率低下のみ」に該当するグリスである、と診断する。また、劣化診断に供したグリスの油分率が約７０％であり、かつ、第２平坦板３の回転数が約２０、０００回である場合には、劣化診断に供したグリスは劣化状態が上記（ｉｉ）「油分率低下（油分率：約６０％）、潤滑剤凝集、増ちょう剤凝集」に該当するグリスである、と診断する。
【００５６】
上記の構成によると、第２平坦板３の回転数を計測することにより、劣化診断に供したグリスが上記（ｉ）から（ｉｉｉ）の何れに該当するかを、上記バックグラウンドデータを用いて診断することができる。また、上記（ｉ）よりも回転数が大きい場合には、劣化診断に供したグリスが正常であると診断することもできる。
【００５７】
図４のデータは、グリス劣化診断装置１ごとに作成することができる。例えば、使用されるグリスの種類、第１平坦板２及び第２平坦板３の材質、又は回転部５の種類などによっては第２平坦板３の回転数は図４と異なる数値を示す可能性がある。その場合にも、使用したグリス劣化診断装置１の条件に基づく、グリスの油分率と第２平坦板の回転数との関係を示すグラフを作成すればよい。
【００５８】
[劣化診断部７]
グリス劣化診断装置１は、劣化診断に供したグリスの劣化状態を判断する劣化診断部７と、上記バックグラウンドデータを保存するメモリ（不図示）とを備えてもよい。以下、具体的に説明する。
【００５９】
劣化診断に供されるグリスが第１平坦板２と第２平坦板３とに挟まれた状態で回転部５が第２平坦板３を回転させたときに、計測部６は、第２平坦板３の回転が開始してから停止するまでの第２平坦板３の回転数を計測する。計測部６は、計測した第２平坦板３の回転数に関する情報を劣化診断部７に出力する。劣化診断部７は、第２平坦板３の回転数に関する情報を計測部６から取得し、さらに、上記バックグラウンドデータをメモリから取得する。劣化診断部７は、第２平坦板３の回転数に関する情報と上記バックグラウンドデータとを比較して、劣化診断に供されたグリスの劣化状態を診断する。診断されたグリスの劣化状態は、モニタ（不図示）に表示されてもよいし、あるいは、音声で外部に出力されてもよい。
【００６０】
このように、グリス劣化診断装置１は、劣化診断部７を備えることにより、劣化診断に供されたグリスの劣化状態を自動的に診断する。バックグラウンドデータを用いたグリスの劣化状態の診断は人手でも可能である。しかしながら、グリス劣化診断装置１が劣化診断部７を備えることにより、人手を介さずに、グリスの劣化状態が診断される。
【００６１】
以上の構成によれば、劣化診断に供したグリスの劣化状態を、より高い精度で、簡易かつ迅速に診断することができる。
[油分率が高い範囲におけるグリスの劣化診断]
図４では、上記（ｉ）から（ｉｉｉ）に対応する３つの曲線が示される。図４に示すように、例えば油分率が５５％〜７０％の範囲では、上記（ｉ）から（ｉｉｉ）に対応する３つの曲線は互いに大きな開きが認められる。そこで、例えば油分率が５５％以上の範囲では、上記（ｉｉ）に対応する１つの曲線だけをバックグラウンドデータとして準備していてもよい。
【００６２】
例えば、油分率が約６０％であるグリスをグリス劣化診断装置１に供し、第２平坦板３の回転数が約１０、０００ｒｐｍであったとする。このとき、上記（ｉｉ）に対応する１つの曲線しかバックグラウンドデータとして準備されていないが、油分率６０％、回転数１０、０００ｒｐｍが示す点は、上記（ｉｉ）に対応する曲線から大きく乖離している。それゆえ、グリス劣化診断装置１に供されたグリスは「（ｉ）油分率低下のみ」に該当する、と診断することができる。
【００６３】
以上の構成によれば、油分率が高い範囲においては、上記（ｉｉ）に対応する１つの曲線だけをバックグラウンドデータとして準備していても、簡易かつ迅速にグリスの劣化状態を診断することができる。
【００６４】
また、以下の構成も実現しうる。最初に、油分率が既知であるグリス（参照用グリス）に係る第１回転数を計測する。次に、参照用グリスと油分率が略同一である、劣化診断に供するグリス（診断用グリス）に係る第２回転数を計測する。そして、第１回転数と第２回転数とを比較する。
【００６５】
第１回転数と第２回転数とを比較することにより、（ｉ）第２回転数が第１回転数よりも多い場合には、診断用グリスは参照用グリスよりも良好な状態にあり、（ｉｉ）第２回転数が第１回転数と同程度である場合には、診断用グリスは参照用グリスと同程度の状態にあり、（ｉｉｉ）第２回転数が第１回転数よりも少ない場合には、診断用グリスは参照用グリスよりも劣化が進んでいる、と診断用グリスの劣化状態を診断することができる。
【００６６】
このとき、参照用グリスと診断用グリスの油分率を略同一として、比較の基準を揃えている。このため、診断用グリスの劣化状態をより高い精度で診断することができる。また、第１回転数と第２回転数とを比較するだけでよいため、より簡便に診断用グリスの劣化状態を診断することができる。
【００６７】
このような方法によっても、高精度かつ簡便にグリスを劣化診断することができる。
【００６８】
ここで、油分率が「略同一」とは、油分率が±１％程度の範囲内であればよいことを意味する。図４からも分かるように、グリスの劣化状況（（１）油分率低下のみ、（２）油分率低下、潤滑剤凝集、増ちょう剤凝集、（３）油分率低下、潤滑剤凝集、増ちょう剤凝集、油分酸化）によって第２平坦板３の回転数は大きく異なる傾向を示す。この傾向に沿って診断用グリスが（１）〜（３）の何れの状態に該当するかを把握するには、油分率が±１％程度であれば十分である。
【００６９】
[グリス劣化診断方法、及びグリス劣化診断装置１による効果]
本実施の形態に係るグリス劣化診断方法、及びグリス劣化診断装置１は、第２平坦板３の回転数を計測することにより、劣化診断に供したグリスの劣化状態を簡易かつ迅速に診断することができる。
【００７０】
本実施の形態に係るグリス劣化診断方法、及びグリス劣化診断装置１は、回転摺動試験によってグリスを劣化診断する。従って、本実施の形態に係るグリス劣化診断方法、及びグリス劣化診断装置１は、有機溶剤へのグリスの分散、遠心分離等の煩雑な方法などを用いる必要がなく、グリスを使用する現場でグリスを劣化診断することができる。
【００７１】
本実施の形態に係るグリス劣化診断方法、及びグリス劣化診断装置１は、油分率が既知である場合に、回転摺動試験のみによってグリスを簡便に劣化診断できる。
【００７２】
本実施の形態に係るグリス劣化診断方法、及びグリス劣化診断装置１では、油分率低下、潤滑剤凝集、増ちょう剤凝集、油分酸化を考慮し、さらに、グリスの油分率と摩擦係数との関係をも考慮したバックグラウンドデータを用いてグリスを劣化診断する。従って、本実施の形態に係るグリス劣化診断方法、及びグリス劣化診断装置１は、従来のグリスの劣化診断、例えば、増ちょう剤の破壊のみに基づくグリスの劣化診断よりもさらに精度を高めることができる。
【００７３】
本実施の形態に係るグリス劣化診断方法、及びグリス劣化診断装置１では、図４に示すバックグラウンドデータを用いることにより、診断用グリスの劣化進展プロセスと劣化速度をそれぞれ容易に推定することもできる。
【００７４】
[摩耗係数に基づくグリスの劣化診断]
図３に示すように、（ｉ）から（ｉｉｉ）へとグリスの劣化要因が加わることにより、グリスの潤滑性低下が加速する。この傾向をグリスの劣化診断に利用することも可能である。以下、具体的に説明する。
【００７５】
最初に、油分率が既知であるグリス（参照用グリス）の摩擦係数である第１摩擦係数を測定する。油分率が異なる複数の参照用グリスの第１摩擦係数を計測してもよい（例えば、図３）。次に、油分率が既知である、劣化診断に供するグリス（診断用グリス）の摩擦係数である第２摩擦係数を測定する。そして、第１摩擦係数と第２摩擦係数とを比較することにより、診断用グリスの劣化状態を診断する。
【００７６】
このように、摩擦係数を比較対象とすることによっても、高精度かつ簡便にグリスを劣化診断することもできる。また、参照用グリスの油分率を様々に変化させた状態で測定した第１摩耗係数をバックグラウンドデータとして使用することにより、診断用グリスの劣化進展プロセスと劣化速度をそれぞれ容易に推定することもできる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００７８】
１  グリス劣化診断装置
２  第１平坦板
３  第２平坦板
４  荷重印加部
５  回転部
６  計測部
７  劣化診断部
１０  グリス
【図１】
2020056601.tif 000003
【図２】
2020056601.tif 000004
【図３】
2020056601.tif 000005
【図４】
2020056601.tif 000006